(57)【要約】【課題】幼児の大きさに合わせて座席の高さを調整することのできるテーブルチェア、また、よりコンパクトに折畳むことができて収納や携帯に便利なテーブルチェアを提供すること。【解決手段】座席７が支持された座席支持枠２と、座席支持枠２に連結されてテーブル等に装着される支持部５とからなり、支持部５に対して座席７の高さを調整する高さ調整手段を設けた。また、一対の支持部５を外側から後方に回動したのちそれぞれ内側に回動して折畳むようにした。【選択図】        図１
2004208738.tif 000002
【特許請求の範囲】
【請求項１】
座席が支持された座席支持枠と、該座席支持枠と連結されテーブル等に装着される支持部とからなり、
前記支持部に対して座席の高さを調整する高さ調整手段を設けたことを特徴とするテーブルチェア。
【請求項２】
座席が支持されたほぼＵ字状の座席支持枠と、該座席支持枠の両端部に装着されたＬ字状の連結アームと、両端部が上方に折曲げられた第１，第２の折曲げ部を有し、該第１の折曲げ部が前記連結アームに連結されるほぼコ字状の下フレーム及び前記第１の折曲げ部に設けられた上フレームを有し、テーブル等に装着される支持部とからなり、
前記連結アームとこれに連結される下フレームの第１の折曲げ部との間に座席の高さを調整する高さ調整手段を設けたことを特徴とするテーブルチェア。
【請求項３】
前記高さ調整手段を、前記連結アーム内に設けられ付勢手段により該連結アームから突出するプッシュボタンと、前記連結アームに嵌合する支持部の第１の折曲げ部の上下方向に設けられ、前記プッシュボタンが選択的に係止する複数の係止穴とによって構成したことを特徴とする請求項２記載のテーブルチェア。
【請求項４】
前記高さ調整手段を、前記連結アーム内に設けられ付勢手段により該連結アームから突出するプッシュボタンと、並設された２つの挿通穴を有する断面眼鏡状の連結部材とを有し、前記支持部の第１の折曲げ部を前記連結部材の一方の挿通穴に挿入して固定すると共に、前記連結アームを前記他方の挿通孔に挿通して前記プッシュボタンを該他方の挿通穴に設けた複数の係止穴に選択的に係止させるように構成したことを特徴とする請求項２記載のテーブルチェア。
【請求項５】
前記高さ調整手段を、支持部の第１の折曲げ部に設けたねじ穴と、前記連結アームの上下方向に設けた複数のねじ挿通穴とによって構成し、該複数のねじ挿通穴に選択的に止めねじを挿通して前記第１の折曲げ部のねじ穴に螺入することを特徴とする請求項２記載のテーブルチェア。
【請求項６】
前記連結アームに代えて、前記座席支持枠の両端部を下方に折曲げて連結部を形成し、該連結部の上下方向に複数のねじ挿通穴を設けたことを特徴とする請求項５記載のテーブルチェア。
【請求項７】
座席が支持された座席支持枠と、該座席支持枠に２軸回動可能に連結されテーブル等に装着される一対の支持部とからなり、
前記一対の支持部を外側から後方に回動したのち、それぞれ内側に回動して折畳むように構成したことを特徴とするテーブルチェア。
【請求項８】
座席が支持されるほぼＵ字状の座席支持枠と、水平軸と垂直軸からなり水平軸が前記座席支持枠の両端部に回動可能に連結されたほぼＬ字状の連結アームと、両端部が上方に折曲げられたほぼコ字状の下フレーム及び前記一方の折曲げ部に設けられた上フレームを有し、前記一方の折曲げ部が前記連結アームの垂直軸に回動可能に連結されてテーブル等に装着される一対の支持部とからなり、
前記支持部を、前記連結アームの垂直軸を軸に後方に回動したのち、該支持部を前記連結アームと共に該連結アームの水平軸を軸にそれぞれ内側に回動して折畳むことを特徴とするテーブルチェア。
【請求項９】
前記下フレームの一方の折曲げ部を連結アームに回動可能に連結するのに代えて、２つの挿入穴が並設された断面眼鏡状の連結部材を有し、該連結部材の一方の挿入穴に前記一方の折曲げ部を挿入すると共に、他方の挿入穴に前記連結アームの垂直軸を挿入し、折曲げ部及び垂直軸のいずれか一方を固定すると共に他方を回動可能に取り付けたことを特徴とする請求項８記載のテーブルチェア。
【発明の詳細な説明】
【０００１】
【発明の属する技術分野】
本発明は、テーブル等に着脱可能に取付けられ、幼児用椅子として使用するテーブルチェアに関するものである。
【０００２】
【従来の技術】
この種テーブルチェアに、フレーム本体の腕曲部のほぼ中央を切断して二分し、その二分した端部を片面側へのみ折畳むことができるようにストッパーを設けたヒンジで連結し、このヒンジを中心としてフレームを水平方向に折畳むようにして、ベビーチェア全体をフレーム本体の約２分の１の内面に収めるようにしたものがある（例えば、特許文献１参照）。
【０００３】
【特許文献１】
実開平５−８４２５１号公報（第１頁−第２頁、図１、図２）
【０００４】
【発明が解決しようとする課題】
上記のようなベビーチェアにおいては、本体フレームをヒンジを中心に水平軸方向に折畳むことにより、幅方向には約２分の１の大きさに収めることができるが、長手方向には筒部や下腕部がそのままの状態のため折畳んでも細長くなり、不使用時の収納や携帯にあたり不便であった。
また、従来のテーブルチェアは、テーブル等と座席との高さ関係が常に一定のため、座席に座った幼児の大きさによってテーブル等が幼児の腕より上方に位置したり下方に位置したりして使い勝手が悪いという問題があった。
【０００５】
本発明は、上記の課題を解決するためになされたもので、幼児の大きさに合わせて座席の高さを調整することのできるテーブルチェアを提供することを目的としたものである。
また、本発明は、よりコンパクトに折畳むことができて収納や携帯に便利なテーブルチェアを提供することを目的としたものである。
【０００６】
【課題を解決するための手段】
（１）本発明に係るテーブルチェアは、座席が支持された座席支持枠と、該座席支持枠と連結されテーブル等に装着される支持部とからなり、前記支持部に対して座席の高さを調整する高さ調整手段を設けたものである。
【０００７】
（２）本発明に係るテーブルチェアは、座席が支持されたほぼＵ字状の座席支持枠と、該座席支持枠の両端部に装着されたＬ字状の連結アームと、両端部が上方に折曲げられた第１，第２の折曲げ部を有し、該第１の折曲げ部が前記連結アームに連結されるほぼコ字状の下フレーム及び前記第１の折曲げ部に設けられた上フレームを有し、テーブル等に装着される支持部とからなり、前記連結アームとこれに連結される下フレームの第１の折曲げ部との間に座席の高さを調整する高さ調整手段を設けたものである。
【０００８】
（３）本発明に係るテーブルチェアは、高さ調整手段を、前記連結アーム内に設けられ付勢手段により該連結アームから突出するプッシュボタンと、前記連結アームに嵌合する支持部の第１の折曲げ部の上下方向に設けられ、前記プッシュボタンが選択的に係止する複数の係止穴とによって構成したものである。
【０００９】
（４）上記（２）のテーブルチェアは、前記高さ調整手段を、前記連結アーム内に設けられ付勢手段により該連結アームから突出するプッシュボタンと、並設された２つの挿通穴を有する断面眼鏡状の連結部材とを有し、前記支持部の第１の折曲げ部を前記連結部材の一方の挿通穴に挿入して固定すると共に、前記連結アームを前記他方の挿通孔に挿通して前記プッシュボタンを該他方の挿通穴に設けた複数の係止穴に選択的に係止させるように構成したものである。
【００１０】
（５）上記（２）のテーブルチェアは、前記高さ調整手段を、支持部の第１の折曲げ部に設けたねじ穴と、前記連結アームの上下方向に設けた複数のねじ挿通穴とによって構成し、該複数のねじ挿通穴に選択的に止めねじを挿通して前記第１の折曲げ部のねじ穴に螺入するものである。
【００１１】
（６）上記（５）のテーブルチェアは、前記連結アームに代えて、前記座席支持枠の両端部を下方に折曲げて連結部を形成し、該連結部の上下方向に複数のねじ挿通穴を設けたものである。
【００１２】
（７）本発明に係るテーブルチェアは、座席が支持された座席支持枠と、該座席支持枠に２軸回動可能に連結されテーブル等に装着される一対の支持部とからなり、前記一対の支持部を外側から後方に回動したのち、それぞれ内側に回動して折畳むように構成したものである。
【００１３】
（８）本発明に係るテーブルチェアは、座席が支持されるほぼＵ字状の座席支持枠と、水平軸と垂直軸からなり水平部が前記座席支持枠の両端部に回動可能に連結されたほぼＬ字状の連結アームと、両端部が上方に折曲げられたほぼコ字状の下フレーム及び前記一方の折曲げ部に設けられた上フレームを有し、前記一方の折曲げ部が前記連結フレームの垂直軸に回動可能に連結されてテーブル等に装着される一対の支持部とからなり、前記支持部を、前記連結アームの垂直軸を軸に後方に回動したのち、該支持部を前記連結アームと共に該連結アームの水平軸を軸にそれぞれ内側に回動して折畳むものである。
【００１４】
（９）上記（８）のテーブルチェアは、下フレームの一方の折曲げ部を連結アームに回動可能に連結するのに代えて、２つの挿入穴が並設された断面眼鏡状の連結部材を有し、該連結部材の一方の挿入穴に前記一方の折曲げ部を挿入すると共に、他方の挿入穴に前記連結アームの垂直軸を挿入し、前記折曲げ部及び垂直軸のいずれか一方を固定すると共に他方を回動可能に取付けたものである。
【００１５】
【発明の実施の形態】
［実施の形態１］
図１は本発明の実施の形態１に係るテーブルチェアの斜視図、図２は図１の座席を取外した状態を示す斜視図である。
テーブルチェア１において、２は金属パイプをほぼＵ字状に折曲げてなる座席支持枠で、その両端部には座席支持枠２の内径とほぼ等しい外径の金属パイプからなるほぼＬ字状の連結アーム３が着脱かつ回動可能に装着されている。
【００１６】
この連結アーム３の水平軸３１の先端部内には、図３に示すように、付勢手段であるＵ字状の板ばね３３が配設されており、水平軸３１を座席支持枠２の端部から挿入すると、板ばね３３の一端に設けたプッシュボタン３４が板ばね３３に付勢され、座席支持枠２に設けた長穴２１（図２参照）から突出して係止するようになっている。そして、連結アーム３をその水平軸３１を軸に回動したときは、長穴２１によりその回動範囲が規制され、また、プッシュボタン３４を押圧して長穴２１への係止を解除することにより、連結アーム３を座席支持枠２から抜き出すことができる。
【００１７】
また、連結アーム３の垂直軸３２の先端部内には、高さ調整手段を構成する付勢手段であるＵ字状の板ばね３５が配設されており、垂直軸３２を後述の支持部５の第１の折曲げ部５３に挿入すると、板ばね３５の一端に設けたプッシュボタン３６が付勢され、第１の折曲げ部５３の上下方向に設けた高さ調整手段を構成する複数の係止穴５５のいずれかに嵌入して係止され、支持部５をロックし、座席支持枠２と支持部５を連結する。
なお、上記の説明では、プッシュボタン３４，３６の付勢手段としてＵ字状の板ばね３３，３５を用いた場合を示したが、これに限定するものではなく、平板状の板ばね、渦巻ばね等、他の形状の付勢手段を用いてもよい。
【００１８】
５は金属パイプからなる支持部で、ほぼコ字状の下フレーム５１と、この下フレーム５１に設けられた上フレーム６０とから構成されている。下フレーム５１は、水平部５２と、その一端が上方に折曲げられ、内径が連結アーム３の外径とほぼ等しく、連結アーム３の垂直軸３２に回動自在に嵌合される第１の折曲げ部５３と、他端が斜め上方に折曲げられた第１の折曲げ部５３により短かい第２の折曲げ部５４とからなり、第１の折曲げ部５３の上下方向には、図３に示すように、所定の間隔で連結アーム３に設けたプッシュボタン３６が係止する係止穴５５が設けられている。５６は最下部の係止穴５５の反対側に設けられ、支持部５を折曲げたときにプッシュボタン３６が係止する係止穴である。
【００１９】
下フレーム５１の第１の折曲げ部５３の上端部には、第１の折曲げ部５３と直行し、かつ水平部５２とほぼ平行に上フレーム６０が溶接により接合されている。そして、第２の折曲げ部５４の上端部及び上フレーム６０には、ゴム、エラストマ等の弾性材からなるキャップ５７，６１が装着されており、第２の折曲げ部５４のキャップ５７の上面と、上フレーム６０のキャップ６１の下面との間隔は、支持部５を取付けるテーブル等（以下、テーブルという）の板厚とほぼ等しく形成されている。
【００２０】
６３は下フレーム５１の第１の折曲げ部５３寄り（上フレーム６０の下方）において、水平部５２に設けられた調整部で、水平部５２にほぼ垂直に溶接接合されたねじ棒６４と、このねじ棒６４に螺合された調整つまみ６５とからなっている。なお、前記キャップ５７の上面、キャップ６１の下面及び調整つまみ６５の上面には、必要に応じてテーブルとの摩擦力を増大するために、複数の突起、溝等による凹凸を設けてもよい。
【００２１】
７は布材、樹脂シート等（以下、これらを合せてシートという）からなる座席で、前面が開口された平面ほぼコ字状の縦シート７１とシート台座７２とからなり、縦シート７１の上部が座席支持枠２に取付けられて吊下げられている。そして、一端が縦シート７１の前部内側に取付けられたベルト７４が支持部５の第１の折曲げ部５３を回って他端が縦シート７１の外側にホック等により固定され、座席支持枠２に保持されている。７５は一端が縦シート７１に取付けられ、他端が縦シート７１に取付けられたバックル７６を介して、長さ調整可能に設けられた腰ベルト、７７は下端部がシート台座７２の前端部に固定され、上端部が腰ベルト７５に取付られた股ベルトである。
【００２２】
次に、上記のように構成した本実施の形態の作用を説明する。なお、座席支持枠２に支持部５が連結されたテーブルチェア１は図１に示す状態に組立てられて座席７が取付けられており、また、支持部５に設けた調整部６３の調整つまみ６５は下方に位置しているものとする。
【００２３】
先ず、図４に示すように、テーブルＴの下面に下フレーム５１の第２の折曲げ部５４を位置させ、上面に上フレーム６０を位置させて、前面側又は側方からテーブルＴに押込む。これにより、両者に設けたキャップ５７，６１がテーブルＴを挾持する。ついで、調整部６３の調整つまみ６５を回転して上昇させてテーブルＴの下面に当接させ、調整つまみ６５を調整することによりテーブルチェア１をほぼ水平にする。これにより、テーブルチェア１は各一対の支持部５の第２の折曲げ部５４、上フレーム６０及び調整部６３でテーブルＴを挾持し、ほぼ水平に保持される。
【００２４】
この状態で腰ベルト７５をバックル７６から外して幼児を座席７内に入れてシート座席７２上に座らせ、両足の間に股ベルト７７を挿入し、腰ベルト７５をバックル７６に装着する。
これにより、座席７に幼児による荷重がかかり、あるいは幼児が動いたりしても、テーブルチェア１が動揺することはない。
【００２５】
この場合、幼児が小さいときは、連結アーム３の垂直軸３２に設けたプッシュボタン３６を押圧して係止穴５５との係止を外し、座席支持枠２を持ち上げて上方の係止穴５５にプッシュボタン３６を係止させれば、図４の１点鎖線又は２点鎖線で示すように、シート台座７２の位置を高くすることができる。また、幼児が大きい場合は、同様にしてプッシュボタン３６を下方の係止穴５５に係止させることにより、図４の実線で示すように、シート台座７２の位置を低くすることができる。
このように、本実施の形態によれば、高さ調整手段の簡単な操作により幼児の体格（大きさ）に応じて座席７の位置（高さ）を調整することができるので、きわめて便利である。
【００２６】
次に、収納や携帯等のためテーブルチェア１を折畳む場合は、先ず、連結アーム３の垂直軸３２に設けたプッシュボタン３６を押圧し、係止穴５５から外してフリー状態にする。ついで、図５（ａ），（ｂ）に示すように、支持部５を連結アーム３の垂直軸３２を軸にして外側から後方にほぼ１８０°回転させ、プッシュボタン３６を係止穴５６に係止させてその位置に保持する。
【００２７】
次に、図５（ｂ）に示すように、支持部５を連結アーム３と共に連結アーム３の水平軸３１を軸に内側にほぼ９０°回転させ、図５（ｃ）の状態にする。そして、固定フック６６（図２参照）により両下フレーム５１を結束すれば、折畳みが終了する。このときの状態を図６に示す。なお、固定フック６６は図示のものに限定するものではなく、他の構造のものを用い、あるいは紐で縛るなどしてもよい。
このように、本実施の形態によれば、簡単な操作でテーブルチェア１をコンパクトに折畳みできるので、収納や携帯にきわめて便利である。
【００２８】
［実施の形態２］
図７は本発明の実施の形態２に係るテーブルチェアの一部を省略した斜視図、図８は図７の要部の斜視図である。なお、実施の形態１と同じ部分はこれと同じ符号を付し、説明を省略する。
図において、８は樹脂成形品からなる高さ調整手段を構成する連結部材で、所定の間隔を隔てて上下方向に円形断面の挿通穴８１ａ，８１ｂが並設されて平面眼鏡状に形成されており、一方の挿通穴８１ａの上下方向には、所定の間隔で複数の係止穴８２が設けられている。８３は最下部の係止穴８２の反対側に設けられた係止穴である。
【００２９】
また、下フレーム５２の第１の折曲げ部５３は、実施の形態１の第１の折曲げ部５３より短かく形成され、その側面にはナットをインサートするなどしてめねじ（図示せず）が設けられており、さらに、上フレーム６０の一端（座席７側）は下方にほぼ直角に折曲げられて折曲げ部６０ａが形成され、その側面には同じくめねじが設けられている。なお、連結アーム３の構造は実施の形態１の場合とほぼ同様であるが、垂直軸３２の板ばね３５及びプッシュボタン３６は、先端部よりやや上方に設けられている。
【００３０】
上記のような連結部材８を有する本実施の形態においては、連結部材８の一方の挿通穴８１ｂに下方から下フレーム５１の第１の折曲げ部５３を挿通し、連結部材８に設けた穴８４ａから挿入したねじ８５をめねじに螺入して固定する。また、この挿通穴８１ｂに上方から上フレーム６０の折曲げ部６０ａを挿入し、その下端部を下フレーム５１の第１の折曲げ部５３の上端部に突設したつなぎ材に外挿し、穴８４ｂから挿入したねじ８５をめねじに螺入し固定する。
【００３１】
そして、連結部材８の他方の挿通穴８１ａの上方から、水平軸３１が座席支持枠２に連結された連結アーム３の垂直軸３２を挿通し、そのプッシュボタン３６をいずれかの係止穴８２に係止させる。なお、先に連結アーム３を連結部材８に取付け、そのあとで座席支持枠２を連結アーム３に取付けてもよい。
これにより、座席支持部２と支持部５とは一体に連結され、テーブルチェア１の組立が終了する。
【００３２】
上記のように構成した本実施の形態において、高さ調整手段により座席７の高さを調整する場合は、プッシュボタン３６を押して係止穴８２との係止を外し、座席７を所望の高さ位置まで上昇又は下降させ、その位置に対応した係止穴８２にプッシュボタン３６を係止させればよい。
【００３３】
また、折畳む場合は、プッシュボタン３６を押して係止穴８２との係止を外し、連結アーム３の垂直軸３２を軸に、支持部５を連結部材８と共に後方にほぼ１８０°回転させてプッシュボタン３６を係止穴８３に係止させる。ついで、座席支持部２を軸にし、支持部５を連結アーム３と共に内側にほぼ９０°回転させればよい。
【００３４】
上記の説明では、連結部材８を樹脂成形品で一体に形成した場合を示したが、縦方向に半割りにしてそれぞれ上下方向に円弧部を有する連結片を形成し、連結アーム３の垂直部３２、及び下フレーム５１の第１の折曲げ部５３、上フレーム６０の折曲げ部６０ａを前記円弧部の間に挟んでねじ８５で固定するようにしてもよい。なお、この場合は、実施の形態１のような下フレーム５１を用いることができる。
上述のように構成した、本実施の形態においても、実施の形態１の場合と同様の効果を得ることができる。
【００３５】
［実施の形態３］
図９は本発明の実施の形態３に係るテーブルチェアの一部を省略した斜視図である。なお、実施の形態１と同じ部分にはこれと同じ符号を付し、説明を省略する。
本実施の形態は、支持部５を構成する下フレーム５１の第１の折曲げ部５３の上端部を、水平部５２側にこれとほぼ平行に折曲げて上フレーム６０を形成し、第１の折曲げ部５３の連結部２２に当接する面の上下方向に、図１０に示すように、例えばナットをインサートするなどして、連結アーム３の垂直軸３２のねじ挿通穴２３に対応した間隔で高さ調整手段を構成する２つのねじ穴５３ａを設けたものである。なお、連結アーム３に代えて、座席支持枠２の両端部を下方にほぼ垂直に折曲げて連結部２２を形成し、この連結部２２の上下方向に、図１０に示すように所定の間隔で高さ調整手段を構成する複数のねじ挿通穴２３を設けてもよい。また、上フレーム６０は下フレーム５１の第１の折曲げ部５３に溶接接合してもよい。さらに、第１の折曲げ部５３に２つのねじ穴５３ａを設けた場合を示したが、このねじ穴５３ａは１つでもよく、３つ以上設けてもよい。
【００３６】
また、９０は調整部で、下フレーム５１の水平部５２にブラケット９２を有する固定部９１を取付け、このブラケット９２に例えばゼンマイ、渦巻ばねの如き付勢手段９３を介して、先端部に弾性材からなるキャップ９５を有する支持腕９４を取付けたもので、支持腕９４は付勢手段９３により常時キャップ９５が上方に向うように付勢されており、キャップ９５は不使用時は上フレーム６０のキャップ６１の下面に当接している。
【００３７】
本実施の形態に係るテーブルチェア１のテーブルＴへの取付けにあたっては、調整部９０の支持腕９４を下方に回動させてキャップ９５と上フレーム６０のキャップ６１との間を開き、第２の折曲げ部５４のキャップ５７と上フレーム６０のキャップ６１とでテーブルＴを挾持したのち、支持腕９４を回動させてキャップ９５をテーブルＴの下面に当接させ、第２の折曲げ部５４、上フレーム６０及び調整部９０によりテーブルＴを挾持し、保持する。
【００３８】
また、座席７の高さ位置を調整する場合は、止めねじ８５を外し、この状態で座席７を所望の高さに上昇又は下降させ、図１１に示すように、連結アーム３の垂直軸３２に設けた複数のねじ挿通穴２３から座席７の高さに対応した２つのねじ挿通穴２３を選択し、これに挿通した止めねじ８５をねじ穴５３ａに螺入して固定する。なお、８６は連結アーム３の垂直軸３２と第１の折曲げ部５３を結束するベルトであるが、これは省略してもよい。
本実施の形態によれば、高さ調整手段の簡単な操作で幼児の大きさに応じて座席７の高さ位置を調整することができる。
【００３９】
［実施の形態４］
図１２は本発明の実施の形態４に係るテーブルチェアの一部を省略した斜視図である。なお、実施の形態１〜３と同一又は相当部分にはこれと同じ符号を付し、説明の一部を省略する。
本実施の形態においては、座席支持枠２の両端部の腕部２ａを延長して上フレーム６０が形成されており、上フレーム６０の基部下面には下フレーム５１の第１の折曲げ部５３の上端部が溶接により接合されて、座席支持枠２と支持部５とが一体に形成されている。
【００４０】
２４は金属パイプからなり、上端部が座席支持枠２の後部の両側（後述の座面７２ａの幅方向の両縁部とほぼ等しい位置）に溶接接合されて垂下する一対の支持棒で、その上下方向には所定の間隔で複数のねじ挿通穴２５が設けられている。
２６は外径が支持棒２４の内径とほぼ等しい金属パイプからなり、両端部が支持棒２４と同じ間隔で折曲げられて挿入部２７が形成され、支持棒２４と共に高さ調整手段を構成するほぼコ字状の調整枠で、挿入部２７には１個又は複数個のねじ穴２８が設けられている。
【００４１】
７８は両端部が座席支持枠２の腕部２ａに取付けられ、バックル７９により長さが調整できる高さ調整ベルトで、高さ調整手段を構成する。７２ａは芯材を有する座面で、後部側が調整枠２６に取付けられ、前部側が高さ調整ベルト７８に取付けられている。なお、図示してないが、座席７の後部、左右及び座面７２ａの下部には縦シート及び下シートが配設され、下シートの前面側は高さ調整ベルト７８に取付けられている。７５はバックル７６を有する腰ベルトで、高さ調整ベルト７８との間には股ベルト７７が取付けられている。
【００４２】
上記のように構成したテーブルチェア１のテーブルＴへの装着は、実施の形態３の場合と同様である。
座席７の高さ位置を調整する場合は、調整枠２６を上昇又は下降させ、そのねじ穴２７を支持棒２４の所望のねじ挿通穴２５と選択的に整合させて止めねじ８５により固定すると共に、高さ調整ベルト７８の長さをバックル７９により座面７２ａの前部側の高さを調整し、座面７２ａをほぼ水平に保持する。
本実施の形態によれば、使用する幼児の大きさに応じて、座席７の高さ位置を選択的に調整することができる。
【００４３】
［実施の形態５］
実施の形態１〜４では、幼児の大きさ応じて機械的手段により座席７の高さを調整する場合を示したが、本実施の形態においては、座席７を上下方向に移動することなく、芯材を有する複数の座布団（例えば、厚さ２５ｍｍ）を１セット（例えば、３枚）用意し、幼児の大きさに応じて座布団の数を増減し、座面の高さを調整するようにしたものである。
本実施の形態によれば、テーブルチェア１に手を加えないので、従来のテーブルチェアにも容易に実施することができる。
【００４４】
上記の説明では、テーブルチェア１の座席支持部２、支持部５等を金属パイプで構成した場合を示したが、これらの全部又は一部を硬質樹脂パイプで構成してもよい。
また、実施の形態１〜４により座席７の高さ調整手段を有するテーブルチェアについて説明したが、高さ調整手段はこれらに限定するものではなく、他の構造のものを用いてもよい。さらに、これらを適宜組合わせて実施してもよい。
【００４５】
【発明の効果】
本発明は、座席が支持された座席支持枠と、この座席支持枠に連結されテーブル等に装着される支持部とからなるテーブルチェアにおいて、支持枠に対して座席の高さを調整する高さ調整手段を設け、簡単な操作で幼児の大きさに応じて座席の高さ位置を調整しうるようにしたので、きわめて便利である。
【００４６】
また、本発明は、座席が支持された座席支持枠と、この座席支持枠に連結されテーブル等に装着される一対の支持枠とからなるテーブルチェアにおいて、上記の一対の支持枠を外側から後方に回動したのちそれぞれ内側に回動して折畳むようにしたので、コンパクトに折畳むことができて収納や携帯に便利である。
【図面の簡単な説明】
【図１】本発明の実施の形態１のに係るテーブルチェアの斜視図である。
【図２】図１の座席を取外した状態を示す斜視図である。
【図３】図１の連結アームの断面図である。
【図４】実施の形態１の作用説明図である。
【図５】実施の形態１の作用説明図である。
【図６】実施の形態１の作用説明図である。
【図７】本発明の実施の形態２に係るテーブルチェアの斜視図である。
【図８】図７の要部の斜視図である。
【図９】本発明の実施の形態３に係るテーブルチェアの斜視図である。
【図１０】図９の要部の斜視図である。
【図１１】実施の形態３の作用説明図である。
【図１２】本発明の実施の形態４に係るテーブルチェアの斜視図である。
【符号の説明】
１  テーブルチェア
２  座席支持枠
３  連結アーム
３３，３５  板ばね
３４，３６  プッシュボタン
５  支持枠
５１  下フレーム
５３  第１の折曲げ部
５４  第２の折曲げ部
５５，８２  係止穴
６０  上フレーム
７  座席
８  連結部材
【図１】
2004208738.tif 000003
【図２】
2004208738.tif 000004
【図３】
2004208738.tif 000005
【図４】
2004208738.tif 000006
【図５】
2004208738.tif 000007
【図６】
2004208738.tif 000008
【図７】
2004208738.tif 000009
【図８】
2004208738.tif 000010
【図９】
2004208738.tif 000011
【図１０】
2004208738.tif 000012
【図１１】
2004208738.tif 000013
【図１２】
2004208738.tif 000014